【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
実行されたときに、ウェブサイトの検索結果スニペットを構築する方法を行う、コンピュータ実行可能命令を記憶したコンピュータ記憶デバイスであって、前記方法が、
検索エンジンによって検索クエリを受け取ることと、
前記ウェブサイトが前記検索クエリに関連があることを判断することであって、前記ウェブサイトは、文書を第一のフォーマットから第二のフォーマットに変換するウェブサイトツールを用意する、ことと、
インターフェースを含むように前記検索結果スニペットを構築することであって、前記インターフェースは、実行されたときに、前記ウェブサイトツールが前記文書を前記第一のフォーマットから前記第二のフォーマットに変換することを要求するサービス呼び出しをウェブサーバに送出するサービス呼び出し命令を備える、ことと、
前記検索クエリに応答して、前記検索結果スニペットと共に他のページを記述する複数の他の検索結果スニペットを供給することと
を含む、コンピュータ記憶デバイス。
【請求項２】
前記方法は、
前記ウェブサイトが前記ウェブサイトツールを含むことを示すウェブサイト命令を前記ウェブサイトから受け取ることと、
前記ウェブサイト命令を検索エンジン索引内に索引付けすることと
を含む、請求項１に記載のコンピュータ記憶デバイス。
【請求項３】
前記ウェブサイト命令を受け取ることは、前記ウェブサイトをクローリングすることを含む、請求項２に記載のコンピュータ記憶デバイス。
【請求項４】
前記ウェブサイト命令を受け取ることは、ウェブマスターポータルを通じて前記ウェブサイト命令の提出を受け取ることを含む、請求項２に記載のコンピュータ記憶デバイス。
【請求項５】
前記インターフェースが、前記検索結果スニペットの一部として構築された入力フィールドを含み、前記入力フィールドは、前記検索結果スニペットが提示されている間に前記第一のフォーマットの前記文書の入力を受け取るようにプログラムされる、請求項１に記載のコンピュータ記憶デバイス。
【請求項６】
前記入力フィールドが、前記第一のフォーマットの前記文書のドラッグアンドドロップ入力を受け取るようにプログラムされる、請求項５に記載のコンピュータ記憶デバイス。
【請求項７】
前記インターフェースが、前記検索結果スニペットの一部として構築される出力フィールドを含み、前記出力フィールドは、前記検索結果スニペットが提示されている間に、前記サービス呼び出しの結果として受け取った前記第二のフォーマットの文書の出力を提示するようにプログラムされる、請求項１に記載のコンピュータ記憶デバイス。
【請求項８】
前記インターフェースが、前記サービス呼び出し命令を含むように構築された選択可能リンクを含む、請求項１に記載のコンピュータ記憶デバイス。
【請求項９】
ウェブサイトの検索結果スニペットを構築する、プロセッサおよびコンピュータ可読媒体を含むシステムであって、
検索クエリを受け取る検索エンジンと、
複数のウェブサイトが前記検索クエリに関連があることを判断するために、前記検索エンジンによって活用される検索エンジン索引であって、前記ウェブサイトは前記複数のウェブサイトに含まれ、前記ウェブサイトがウェブサイトツールを含むことを示すウェブサイト命令を含む、検索エンジン索引と、
複数の検索結果スニペットを構築するスニペットビルダであって、
前記スニペットビルダは、前記ウェブサイト命令を受け取り、前記ウェブサイト命令を、前記ウェブサイトツールへのアクセスを実現し、かつ、前記ウェブサイトを要約する検索結果スニペットに含まれる、インターフェースに変形し、
前記インターフェースは、ウェブサイトのランディングページにナビゲートせずにウェブサイトツールへのアクセスを実現する、サービス呼び出し命令を含む、スニペットビルダと、
前記検索クエリに応答して前記複数の検索結果スニペットを供給する、検索エンジン応答ページであって、前記ウェブサイトの検索結果スニペットは、前記複数の検索結果スニペットの間に含まれる、検索エンジン応答ページと
を備えるシステム。
【請求項１０】
前記ウェブサイトから前記ウェブサイト命令を取り出し、かつ、前記ウェブサイトが前記ウェブサイトツールを含むことを示すウェブサイトツールフォーマットを認識する、クローらーをさらに備える、請求項９に記載のシステム。
【請求項１１】
前記ウェブサイト命令の提出を受け取るウェブマスターポータルをさらに備え、前記ウェブサイト命令は、前記ウェブサイトが前記ウェブサイトツールを含むことを示すウェブサイトツールフォーマットで前記ウェブマスターポータルに提出される、請求項９に記載のシステム。
【請求項１２】
前記スニペットビルダが、第一のフォーマットから第二のフォーマットへの変換のために前記ウェブサイトツールに送出される文書を受け取るようにプログラムされた入力フィールドを含むように、前記検索結果スニペットの前記インターフェースを構築する、請求項９に記載のシステム。
【請求項１３】
前記スニペットビルダが、前記ウェブサイトツールから受け取られ、かつ、第一のフォーマットから第二のフォーマットに変換されている、文章を提示するようにプログラムされた出力フィールドを含むように、前記検索結果スニペットの前記インターフェースを構築する、請求項９に記載のシステム。
【請求項１４】
前記スニペットビルダが、選択されたときに前記ウェブサイトツールに要求を送出するようにプログラムされた選択可能リンクを含むように、前記検索結果スニペットの前記インターフェースを構築する、請求項９に記載のシステム。
【請求項１５】
ウェブサイトの検索結果スニペットを構築する、プロセッサおよびコンピュータ可読媒体を用いて実行される方法であって、
検索エンジンによって検索クエリを受け取ることと、
前記ウェブサイトが前記検索クエリに関連があることを判断することと、
検索エンジン索引内の前記ウェブサイトを含むデータストアを参照することによって、前記ウェブサイトがウェブサイトツールを含むことを判断することと、
ウェブサイトのランディングページにナビゲートせずに前記ウェブサイトツールへのアクセスを実現するサービス呼び出し命令を含むインターフェースを含むように、前記ウェブサイトに合った要約を供給する前記検索結果スニペットを前記プロセッサが変換することと、
複数の検索結果スニペットの間でリスト化される前記検索結果スニペットを含むように、検索エンジン応答ページを構築するステップと、
前記検索クエリに応答して前記検索エンジン応答ページを供給することと
を含む方法。
【請求項１６】
前記ウェブサイトツールに供給される入力を受け取るようにプログラムされた入力フィールドを含むように、前記検索結果スニペットの前記インターフェースを構築する、請求項１５に記載の方法。
【請求項１７】
前記ウェブサイトツールの結果として受け取られた出力を提示するようにプログラムされた出力フィールドを含むように、前記検索結果スニペットの前記インターフェースを構築する、請求項１６に記載の方法。
【請求項１８】
前記ウェブサイトツールに要求を送出するようにプログラムされた選択可能リンクを含むように前記インターフェースを構築する、請求項１５に記載の方法。
【請求項１９】
コピーされ別の媒体に格納される前記検索エンジン応答ページから選択可能なオブジェクトとなる入力フィールドと出力フィールドとを含む前記インターフェースを構築するステップをさらに含む、請求項１５に記載の方法。
【請求項２０】
前記入力フィールドと前記出力フィールドとを含む前記インターフェースは、ドラッグアンドドロップ入力の方法によって前記検索エンジン応答ページからまとめて選択可能である、請求項１９に記載の方法。